(57)【特許請求の範囲】
【請求項１】
上枠、下枠及び左右の縦枠によって構成した開口枠と、
前記開口枠に対して開閉可能に配設した可動障子と、
前記下枠の上面において室内側に臨む見付け面よりも室外側となる部位に固定した取付部材と、
前記取付部材の室内側に臨む見付け面から室内側に突出した状態で前記取付部材に保持させたオペレータハンドルと、
前記可動障子及び前記開口枠の間に介在し、前記オペレータハンドルが操作された場合に前記開口枠に対して前記可動障子を開閉動作させる開閉機構と
を備え、さらに前記縦枠の見込み面には、室内側に位置する縁部から内周側に向けて突出し、前記取付部材の室内側に臨む見付け面を覆う支持カバー部を有した縦枠部品を設けたことを特徴とする建具。
【請求項２】
前記縦枠部品の支持カバー部は、前記取付部材の両端部において少なくとも前記下枠の上面から突出した部分の全高にわたる部分を覆う長さを有したことを特徴とする請求項１に記載の建具。
【請求項３】
前記取付部材は、前記開口枠の上枠及び左右の縦枠とによって囲まれる室内側開口枠に固定障子を支持することを特徴とする請求項１に記載の建具。
【請求項４】
前記固定障子は、少なくとも下方の両隅部に、前記縦枠及び前記取付部材の室内側に臨む見付け面を覆うカバーヒレ部を有したものであり、
前記縦枠部品の支持カバー部は、前記取付部材の上端から突出する長さを有したことを特徴とする請求項３に記載の建具。
【請求項５】
前記縦枠部品は、前記室内側開口枠に前記固定障子が装着された場合に前記固定障子の固定縦框において外周側の見込み面に対向する部位に係合板部を有し、かつ前記係合板部には、下方に臨むストッパ面が設けてあり、
前記固定障子は、前記室内側開口枠に対して室内側からケンドン式で装着されるものであり、前記固定障子の固定縦框には、前記固定障子を前記室内側開口枠に装着した場合に前記係合板部のストッパ面に係合し、前記開口枠に対する前記固定障子の上方への移動を阻止する係合部材を設けたことを特徴とする請求項３に記載の建具。
【請求項６】
前記取付部材は、前記下枠の上面に対向するベース部を介して前記下枠に取り付けたものであり、
前記縦枠部品は、前記下枠と前記取付部材のベース部との間に挟持される挟持片部を有したことを特徴とする請求項５に記載の建具。
【発明の詳細な説明】
【技術分野】
【０００１】
本発明は、可動障子を開閉操作するためのオペレータハンドルを開口枠に設けた建具に関するものである。
【背景技術】
【０００２】
すべり出し窓等のように開口枠に対して可動障子を室外側に押し出すように開閉する建具には、オペレータハンドルが設けられているものがある（例えば、特許文献１参照）。特に、高所に配設される建具においては、オペレータハンドルを設けることにより、可動障子の開閉操作を容易化することが望まれている。
【先行技術文献】
【特許文献】
【０００３】
【特許文献１】特開２０１４−１０９１３１号公報（図２）
【発明の概要】
【発明が解決しようとする課題】
【０００４】
ところで、可動障子を開閉するためのオペレータハンドルは、下枠等、開口枠を構成する枠の室内側となる部位に取り付けられるものである。オペレータハンドルを枠に取り付ける場合には、オペレータハンドルを介して枠に操作力が加えられることになるため、枠を大型化して強度を確保する等の対応を図っているのが一般的である。しかしながら、こうした建具にあっては、オペレータハンドルが取り付けられる枠のみが大型化し、該当する枠が室内側に突出することになり、意匠性が損なわれる等の問題を生じるおそれがある。特に、開口枠を樹脂によって成形する場合には、同一の断面形状に構成した枠の端部間を溶着するのが一般的であり、上述の問題が一層顕著となる。
【０００５】
本発明は、上記実情に鑑みて、意匠性を損なうことなく可動障子の開閉操作を容易化することのできる建具を提供することを目的とする。
【課題を解決するための手段】
【０００６】
上記目的を達成するため、本発明に係る建具は、上枠、下枠及び左右の縦枠によって構成した開口枠と、前記開口枠に対して開閉可能に配設した可動障子と、前記下枠の上面において室内側に臨む見付け面よりも室外側となる部位に固定した取付部材と、前記取付部材の室内側に臨む見付け面から室内側に突出した状態で前記取付部材に保持させたオペレータハンドルと、前記可動障子及び前記開口枠の間に介在し、前記オペレータハンドルが操作された場合に前記開口枠に対して前記可動障子を開閉動作させる開閉機構とを備え、さらに前記縦枠の見込み面には、室内側に位置する縁部から内周側に向けて突出し、前記取付部材の室内側に臨む見付け面を覆う支持カバー部を有した縦枠部品を設けたことを特徴とする。
【０００７】
この発明によれば、下枠の上面において室内側に臨む見付け面よりも室外側となる部位に取付部材を固定し、この取付部材の室内側に臨む見付け面から室内側に突出した状態で取付部材にオペレータハンドルを保持させるようにしている。従って、下枠を大型化することなくオペレータハンドルを取り付けることが可能となり、樹脂によって開口枠を構成する場合にも、意匠性を何ら損なうことはなく、可動障子の開閉操作を容易化することが可能となる。しかも、縦枠部品の支持カバー部が縦枠の見込み面から内周側に突出した状態となるため、開口枠に取付部材を取り付ける場合には、開口枠を水平方向に沿って配置することにより、取付部材の両端部を支持カバー部に載置させることが可能となる。これにより、例えば、ネジを螺合することによって取付部材を下枠に取り付ける場合に両手を使うことができる等、取付部材の取り付け作業を容易化することができる。
【０００８】
また本発明は、上述した建具において、前記縦枠部品の支持カバー部は、前記取付部材の両端部において少なくとも前記下枠の上面から突出した部分の全高にわたる部分を覆う長さを有したことを特徴とする。
【０００９】
この発明によれば、縦枠と取付部材の端部との間に製造誤差や組み立て誤差を吸収するための隙間を確保した場合にも、縦枠部品の支持カバー部によって隙間が覆われることになり、室外の光が室内に進入する等の問題を防止することができる。
【００１０】
また本発明は、上述した建具において、前記取付部材は、前記開口枠の上枠及び左右の縦枠とによって囲まれる室内側開口枠に固定障子を支持することを特徴とする。
【００１１】
この発明によれば、取付部材により、開口枠の上枠及び左右の縦枠とによって囲まれる室内側開口枠に固定障子を支持することができる。
【００１２】
また本発明は、上述した建具において、前記固定障子は、少なくとも下方の両隅部に、前記縦枠及び前記取付部材の室内側に臨む見付け面を覆うカバーヒレ部を有したものであり、前記縦枠部品の支持カバー部は、前記取付部材の上端から突出する長さを有したことを特徴とする。
【００１３】
この発明によれば、縦枠及び取付部材の間の段差と、縦枠及び取付部材の見付け面を覆う固定障子のカバーヒレ部との間に生じる上下方向の隙間が、取付部材の上面から突出する支持カバー部によって遮蔽されるため、上下方向の隙間から屋外の光が室内に進入する等の問題を防止することができる。
【００１４】
また本発明は、上述した建具において、前記縦枠部品は、前記室内側開口枠に前記固定障子が装着された場合に前記固定障子の固定縦框において外周側の見込み面に対向する部位に係合板部を有し、かつ前記係合板部には、下方に臨むストッパ面が設けてあり、前記固定障子は、前記室内側開口枠に対して室内側からケンドン式で装着されるものであり、前記固定障子の固定縦框には、前記固定障子を前記室内側開口枠に装着した場合に前記係合板部のストッパ面に係合し、前記開口枠に対する前記固定障子の上方への移動を阻止する係合部材を設けたことを特徴とする。
【００１５】
この発明によれば、固定障子の係合部材と縦枠部品のストッパ面とを係合させることにより、室内側開口枠に装着した固定障子が上方へ移動する事態を防止することができる。従って、縦枠に係合部材を係合させるための穴を設ける必要がない。
【００１６】
また本発明は、上述した建具において、前記取付部材は、前記下枠の上面に対向するベース部を介して前記下枠に取り付けたものであり、前記縦枠部品は、前記下枠と前記取付部材のベース部との間に挟持される挟持片部を有したことを特徴とする。
【００１７】
この発明によれば、挟持片部を取付部材のベース部と下枠との間に挟持させることにより、縦枠部品の上方への移動を阻止することができる。従って、縦枠部品を取り付けるための専用のネジが不要となり、部品点数の削減を図ることができるとともに、組み立て作業の容易化を図ることができる。
【発明の効果】
【００１８】
本発明によれば、下枠の上面において室内側に臨む見付け面よりも室外側となる部位に取付部材を固定し、この取付部材の室内側に臨む見付け面から室内側に突出した状態で取付部材にオペレータハンドルを保持させるようにしている。従って、下枠を大型化することなくオペレータハンドルを取り付けることが可能となり、樹脂によって開口枠を構成する場合にも、意匠性を何ら損なうことはなく、可動障子の開閉操作を容易化することが可能となる。しかも、縦枠部品の支持カバー部が縦枠から突出した状態となるため、開口枠に取付部材を取り付ける場合には、開口枠を水平方向に沿って配置することにより、取付部材の両端部を支持カバー部に載置させることが可能となる。これにより、例えば、ネジを螺合することによって取付部材を下枠に取り付ける場合に両手を使うことができる等、取付部材の取り付け作業を容易化することができる。
【図面の簡単な説明】
【００１９】
【図１】図１は、本発明の実施の形態である建具を室内側から見た図である。
【図２】図２は、図１に示した建具から可動障子であるガラス窓を取り外した状態を室外側から見た図である。
【図３】図３は、図１に示した建具の縦断面図である。
【図４】図４は、図１に示した建具の横断面図である。
【図５】図５は、図１に示した建具からガラス窓及び固定障子を取り外した状態を室内側から見た図である。
【図６】図６は、図１に示した建具に適用する縦枠部品を示したもので、（ａ）は係合板部を表面側から見た斜視図、（ｂ）は係合板部を裏面側から見た斜視図である。
【図７−１】図７−１は、図１に示した建具の開口枠のみを室外側から見た要部斜視図である。
【図７−２】図７−２は、図７−１に示した開口枠の縦枠に縦枠部品を係止させた状態を室外側から見た要部斜視図である。
【図７−３】図７−３は、図７−２に示した開口枠の下枠に取付部材を取り付けた状態を室外側から見た要部斜視図である。
【図７−４】図７−４は、図７−３に示した開口枠に固定障子を装着した状態を室外側から見た要部斜視図である。
【図７−５】図７−５は、図１に示した開口枠のみを室内側から見た要部斜視図である。
【図７−６】図７−６は、図７−５に示した開口枠に固定障子を装着した状態を室内側から見た要部斜視図である。
【図８−１】図８−１は、図１に示した建具に適用する固定障子を室内側から見た図である。
【図８−２】図８−２は、図８−１に示した固定障子を室外側から見た図である。
【図９−１】図９−１は、図８−１に示した固定障子に適用する上方コーナー部品を室外側から見た図である。
【図９−２】図９−２は、図９−１に示した上方コーナー部品を室内側から見た図である。
【図９−３】図９−３は、図９−２におけるＡ−Ａ線断面図である。
【図９−４】図９−４は、図９−２におけるＢ−Ｂ線断面図である。
【図９−５】図９−５は、図９−１に示した上方コーナー部品を室外側から見た断面図である。
【図１０−１】図１０−１は、図８−１に示した固定障子に適用する下方コーナー部品の斜視図である。
【図１０−２】図１０−２は、図１０−１に示した下方コーナー部品を室内側から見た図である。
【図１０−３】図１０−３は、図１０−１に示した下方コーナー部品を室外側から見た図である。
【図１０−４】図１０−４は、図１０−２におけるＣ−Ｃ線断面図である。
【図１０−５】図１０−５は、下方コーナー部品のストッパ部材が退行した状態の断面図である。
【図１１−１】図１１−１は、図１に示した建具の上枠と縦枠との入隅部分を室外側から見た要部斜視図である。
【図１１−２】図１１−２は、図１に示した建具の上枠と縦枠との入隅部分を室外側から見た図である。
【図１２−１】図１２−１は、図１に示した建具に適用する挿入突片部の斜視図である。
【図１２−２】図１２−２は、図１２−１に示した挿入突片部を室内側から見た図である。
【図１２−３】図１２−３は、図１２−１に示した挿入突片部を下方から見た図である。
【図１２−４】図１２−４は、図１２−２におけるＤ−Ｄ線断面図である。
【図１３】図１３は、図１に示した建具の要部を示したもので、（ａ）は開口枠と、開口枠に装着された固定障子との係合部分を示す要部縦断面図、（ｂ）は開口枠に対して固定障子を装着する過程の状態を示す要部断面図である。
【図１４−１】図１４−１は、図１に示した建具の開口枠に固定障子を装着する直前の状態を示す要部拡大横断面図である。
【図１４−２】図１４−２は、図１４−１に示す状態から開口枠に固定障子を装着した状態を示す要部拡大横断面図である。
【図１４−３】図１４−３は、図１４−２に示す状態からストッパ部材を退行させた状態の要部拡大横断面図である。
【図１５−１】図１５−１は、図１に示した建具の下枠に取り付けた取付部材と縦枠との隙間に縦枠部品を配設した状態の要部拡大横断面図である。
【図１５−２】図１５−２は、図１に示した建具の下枠に取り付けた取付部材と縦枠との隙間の縦枠部品を省略した状態の要部拡大横断面図である。
【発明を実施するための形態】
【００２０】
以下、添付図面を参照しながら本発明に係る建具の好適な実施の形態について詳細に説明する。
【００２１】
図１〜図４は、本発明の実施の形態である建具を示したものである。ここで例示する建具は、図３及び図４に示すように、開口枠１０及びガラス窓（可動障子）２０を備え、開口枠１０に設けたオペレータハンドル３０の操作により、開口枠１０に対してガラス窓２０が開閉可能となるように構成したものである。開口枠１０は、上枠１１、下枠１２、左右の縦枠１３を四周枠組みすることによって構成したものである。ガラス窓２０は、矩形状を成すガラス板２１の四周に窓上框２２、窓下框２３、左右の窓縦框２４を装着することによって構成したものである。
【００２２】
開口枠１０を構成する枠１１，１２，１３は、それぞれ樹脂によって成形した押し出し形材であり、互いに同じ断面形状を有するように構成してある。それぞれの枠１１，１２，１３は、図１及び図２に示すように、両端面が４５°の傾斜面となるように形成してあり、これらの傾斜面を互いに接合することによって開口枠１０を構成している。枠１１，１２，１３の端面間は、例えば熱溶着することによって互いに接合してある。図３及び図４からも明らかなように、本実施の形態で適用する枠１１，１２，１３には、見込み面において室内側に位置する縁部に突条部１１ａ，１２ａ，１３ａが設けてある。突条部１１ａ，１２ａ，１３ａは、見込み方向に沿った幅寸法及び見込み面からの突出量が小さい突出部であり、それぞれの枠１１，１２，１３の長手方向に沿った全長にわたる部位から突出している。
【００２３】
ガラス窓２０を構成する窓框２２，２３，２４は、図には明示していないが、開口枠１０の枠１１，１２，１３と同様、それぞれ樹脂によって成形した押し出し形材であり、互いに同じ断面形状を有し、４５°の傾斜する端面を互いに熱溶着することによって相互に接合してある。
【００２４】
開口枠１０とガラス窓２０との間には、図３に示すように、上枠１１と窓上框２２との間及び下枠１２と窓下框２３との間に、それぞれ縦すべり窓を構成するための支持リンク機構２５が設けてある。すなわち、支持リンク機構２５は、図４において左側に位置する窓縦框（以下、「窓戸尻框２４」という）の長手方向を中心として、右側に位置する窓縦框（以下、「窓戸先框２４」という）が回転可能、かつ窓戸尻框２４が上枠１１及び下枠１２に沿って左右にスライド可能となるように開口枠１０に対してガラス窓２０を支持するものである。
【００２５】
この支持リンク機構２５によれば、図４において窓戸先框２４を開口枠１０の左方に位置する縦枠１３に重ね合わせて配置した場合、窓框２２，２３，２４の四周をそれぞれ開口枠１０に当接させることにより、開口枠１０を閉じることができる。この状態から窓戸尻框２４を中心として窓戸先框２４が室外側に突出するようにガラス窓２０を回転させるとともに、窓戸尻框２４を右方にスライドさせれば、図４中の二点鎖線で示すように、ガラス窓２０が見込み方向に沿って室外側に突出した状態となり、開口枠１０を開放することが可能となる。開口枠１０が開放した状態から窓戸先框２４が室内側に向けて移動するようにガラス窓２０を回転させるとともに、窓戸尻框２４を左方にスライドさせれば、再び開口枠１０を閉じた状態に復帰させることができる。
【００２６】
オペレータハンドル３０は、回転操作した場合にガラス窓２０の窓下框２３との間に設けた開閉機構３１を動作させ、ガラス窓２０の窓戸先框２４と開口枠１０との間隔を拡縮させるものである。本実施の形態のオペレータハンドル３０は、下枠１２に設けた取付部材４０の室内側に臨む見付け面から突出する状態で取付部材４０に取り付けてある。取付部材４０は、図５に示すように、左右の縦枠１３の下端部間に下枠１２の長手方向に沿って延在するものであり、左右の縦枠１３の互いに対向する見込み面の相互間隔よりも短い長さに構成してある。本実施の形態では、取付部材４０の両端とそれぞれの縦枠１３との間に、例えば１．５〜２．０ｍｍの隙間が設けられるように取付部材４０の長さが設定してある。
【００２７】
取付部材４０の長手方向に沿った寸法を縦枠１３の見込み面の相互間隔よりも短く構成しているのは、縦枠１３と取付部材４０の端部との間に製造誤差や組み立て誤差を吸収する隙間を確保するためである。また、取付部材４０に取り付けられたオペレータハンドル３０を左右方向に沿って移動することにより、ガラス窓２０の窓下框２３との間に設けた開閉機構３１との位置合わせや調整を容易に行うためである。また、取付部材４０の長手方向に沿った寸法を縦枠１３の見込み面の相互間隔よりも短く構成しておけば、樹脂によって成形した開口枠１０や後述するカバープレート４３が熱延びした場合にも相互の干渉を未然に防止することが可能となる。図３に示すように、本実施の形態では、基準プレート４１、補強プレート４２及びカバープレート４３を備えて取付部材４０が構成してある。
【００２８】
基準プレート４１は、基準ベース部（ベース部）４１ａ、基準取付壁部４１ｂ、基準カバー壁部４１ｃを有したもので、アルミニウムやアルミニウム合金等の金属によって一体に成形してある。基準ベース部４１ａは、下枠１２の上面に対向して配置される板状部分であり、下枠１２の上面に対向する部位に２条の支持リブ４１ｄを有している。支持リブ４１ｄは、室内側に位置するものの突出量が室外側に位置するものよりも大きく設定してある。これらの支持リブ４１ｄを介して下枠１２の上面に基準ベース部４１ａを配置した場合には、下枠１２の上面との間隔が室内側に向けて漸次増大するように基準ベース部４１ａが傾斜することになる。基準取付壁部４１ｂは、基準ベース部４１ａを下枠１２の上面に配置した場合に基準ベース部４１ａの室内側に位置する縁部から鉛直上方に向けて延在した板状部分である。基準カバー壁部４１ｃは、基準取付壁部４１ｂの上端部から室外側に向けて略水平に屈曲して延在する板状部分である。
【００２９】
補強プレート４２は、基準プレート４１を補強するためのもので、基準プレート４１よりも板厚の大きな鋼材等、基準プレート４１よりも剛性の大きな材質によって成形してある。補強プレート４２には、基準ベース部４１ａの上面に重ね合わされる下方補強部４２ａと、基準取付壁部４１ｂの室外側に臨む見付け面に重ね合わされる上方補強部４２ｂとが一体に設けてある。
【００３０】
カバープレート４３は、基準プレート４１の外表面を覆うためのもので、樹脂によって成形してある。カバープレート４３には、側方カバー部４３ａ、上方カバー部４３ｂ及び下方係合ヒレ部４３ｃが一体に設けてある。側方カバー部４３ａは、基準取付壁部４１ｂの室内側に臨む見付け面を覆うものであり、上方カバー部４３ｂは、基準カバー壁部４１ｃの上面を覆うものである。下方係合ヒレ部４３ｃは、上方カバー部４３ｂの見込み面において室内側に位置する縁部から上方に突出したもので、カバープレート４３の長手方向に沿った全長にわたる部位から見付け方向に沿って上方に突出している。
【００３１】
上述の構成を有する取付部材４０は、カバープレート４３において側方カバー部４３ａの外表面が下枠１２の突条部１２ａよりも室外側に位置した状態で、基準プレート４１の基準ベース部４１ａを介して下枠１２の上面に配置し、補強プレート４２の下方補強部４２ａ及び基準プレート４１の基準ベース部４１ａを介して下枠１２にネジ（図示せず）を螺合することにより、下枠１２に固定される。下枠１２に螺合したネジ（図示せず）は、先端部が下枠１２の中空内部に設けた鋼製の下枠補強材１２Ａに達しており、取付部材４０の補強プレート４２と下枠補強材１２Ａとが連結した状態となる。また、オペレータハンドル３０は、ハンドルベース３２を介してカバープレート４３の側方カバー部４３ａ、基準プレート４１の基準取付壁部４１ｂ及び補強プレート４２の上方補強部４２ｂにネジを螺合することにより、取付部材４０を介して下枠１２の下枠補強材１２Ａに連結されることになる。
【００３２】
上述したように、オペレータハンドル３０の取付対象となる取付部材４０は、室内側に臨む見付け面が下枠１２の突条部１２ａよりも室外側となる状態で下枠１２に取り付けたものである。従って、下枠１２を大型化することなくオペレータハンドル３０を取り付けることが可能となり、樹脂によって開口枠１０を構成する場合にも、建具の意匠性を何ら損なうことがない。ガラス窓２０を開閉する際には、オペレータハンドル３０を操作すれば良いため、その開閉操作を容易に行うことが可能となる。
【００３３】
一方、開口枠１０の左右の縦枠１３には、取付部材４０の両端に対応する部位にそれぞれ縦枠部品５０が設けてある。縦枠部品５０は、図６の（ａ）及び図６の（ｂ）に示すように、矩形の平板状を成す係合板部５１と、係合板部５１の縁部において表面から屈曲して延在する挟持片部５２及び支持カバー部５３と、係合板部５１の裏面に設けたフック部５４とを有したもので、樹脂によって一体に成形してある。図７−３に示すように、係合板部５１は、下端面を下枠１２の見込み面に当接した場合に取付部材４０よりも上方に突出する長さを有するように構成してある。例えば、係合板部５１の板厚は、縦枠１３の見込み面から突出する突条部１３ａの突出高さとほぼ同一である。挟持片部５２は、図６の（ａ）及び図７−２に示すように、係合板部５１の表面において下縁となる部位から屈曲して延在した部分であり、下縁のほぼ中央となる部位に設けてある。支持カバー部５３は、係合板部５１の一側縁となる部位から挟持片部５２と同じ方向に向けて略直角に屈曲して延在した薄板状部分であり、取付部材４０と縦枠１３との隙間よりも大きな幅寸法を有するように構成してある。この支持カバー部５３は、図５、図７−２、図７−３、図７−５に示すように、係合板部５１の下端面を下枠１２の見込み面に当接した場合に、係合板部５１の下端から取付部材４０の上面を越えて上方に突出する位置までの間にわたって設けてある。フック部５４は、係合板部５１の裏面においてほぼ中央となる部位から水平方向に沿って略直角に突出した平板状部分である。このフック部５４は、係合板部５１との連結部となるフック基部５４ａが狭幅で、突出端部５４ｂが幅広となるように構成してある。
【００３４】
上記の縦枠部品５０は、下枠１２に取付部材４０を取り付ける以前に予め以下のような手順で縦枠１３に取り付けておく。すなわち、まず、縦枠１３の見込み面に形成したフック孔１３Ａにフック部５４を挿通させた状態で係合板部５１の裏面を縦枠１３の見込み面に当接させ、かつ係合板部５１の下端面を下枠１２の見込み面に当接させる。縦枠１３のフック孔１３Ａは、図７−１に示すように、上半部１３Ａａがフック部５４の突出端部５４ｂを挿通可能とする幅を有するとともに、下半部１３Ａｂがフック部５４のフック基部５４ａを挿通可能、かつ突出端部５４ｂを挿通不可とする幅を有するように形成してある。従って、フック孔１３Ａの上半部１３Ａａにフック部５４の突出端部５４ｂを挿通させた後、フック基部５４ａがフック孔１３Ａの下半部１３Ａｂに位置するように縦枠部品５０を下方に移動させれば、フック部５４の突出端部５４ｂが縦枠１３の裏面に係止され、縦枠１３の見込み面から離隔する移動及び見込み面に沿った左右方向への移動が規制されることになる。
【００３５】
左右の縦枠１３に縦枠部品５０を係止させた後においては、下枠１２の上面に取付部材４０を取り付ければ、係合板部５１から突出する挟持片部５２が下枠１２の上面と基準プレート４１の基準ベース部４１ａとの間に挟持されるため、縦枠１３に対する縦枠部品５０の上方への移動が阻止される。従って、ネジ等の部品を要することなく縦枠部品５０を縦枠１３に取り付けることが可能となる。
【００３６】
縦枠１３に縦枠部品５０を係止させた状態で下枠１２に取付部材４０を取り付ける場合には、室内側となる面を下方に向けて開口枠１０を平置きすることにより、取付部材４０の取付作業を容易化することができる。すなわち、縦枠部品５０を縦枠１３に係止させた状態においては、縦枠部品５０の支持カバー部５３がそれぞれ内周側に向けて突出した状態となる。上述したように、縦枠１３に係止させた状態においても縦枠部品５０は、縦枠１３の見込み面から離隔する移動及び見込み面に沿った左右方向への移動が規制されている。従って、左右の縦枠１３の互いに対向する見込み面の相互間隔よりも短い長さを有するように構成した取付部材４０にあっても、その両端部を支持カバー部５３に載置させることで取付部材４０から両手を放すことができ、ネジの螺合作業を容易化することが可能となる。さらに、下枠１２に取付部材４０を取り付けた後においては、縦枠部品５０の支持カバー部５３が取付部材４０の室内側に臨む見付け面を覆った状態となる。従って、縦枠１３と取付部材４０との間の隙間から外部の光が漏れて室内に進入するおそれもない。
【００３７】
図３〜図５に示すように、取付部材４０を取り付けた建具には、取付部材４０、上枠１１及び左右の縦枠１３によってガラス窓２０よりも室内側となる部位に室内側開口枠１０Ａが構成されることになる。この室内側開口枠１０Ａには、図８−１及び図８−２に示すような固定網戸（固定障子）６０が装着してある。固定網戸６０は、四周框組みした固定上框６１、固定下框６２及び左右の固定縦框６３の内部にシート状の網６４を張ることによって構成したものである。
【００３８】
固定網戸６０を構成するそれぞれの固定框６１，６２，６３は、アルミニウムやアルミニウム合金等の金属によって成形した押し出し形材である。固定上框６１及び左右の固定縦框６３は、同じ断面形状を有するように構成してある。具体的には、図３及び図４に示すように、中空の角筒状を成す框基部６１ａ，６３ａと、框基部６１ａ，６３ａの室内側に臨む見付け面から固定框６１，６３の外周側に向けて延在するカバーヒレ部６１ｂ，６３ｂとを有して固定上框６１及び左右の固定縦框６３が構成してある。これに対して固定下框６２は、外周側となる部位の見込み寸法が内周側となる部位よりも小さい異形の中空状を成すものである。固定下框６２において外周側の見込み面には、取付部材４０の下方係合ヒレ部４３ｃを収容することのできる幅の係合溝６２ａが長手方向に沿って形成してある。固定下框６２の内周側となる中空部６２ｂは、固定縦框６３の框基部６３ａとほぼ同じ断面を有するように構成したものである。固定網戸６０を構成するそれぞれの固定框６１，６２，６３には、室外側に臨む見付け面にビート装着溝６１ｃ，６２ｃ，６３ｃが形成してある。ビート装着溝６１ｃ，６２ｃ，６３ｃは、ゴム等の弾性を有したビート６５と共に網６４の周縁部を圧入するためのものである。
【００３９】
図８−１及び図８−２に示すように、固定框６１，６２，６３は、それぞれの端面が長手方向に対して直交するように形成してあり、互いの間がコーナー部品７０を介して相互に接合してある。コーナー部品７０は、図９−１〜図９−５及び図１０−１〜図１０−５に示すように、正方形状を成すベースプレート７１と、ベースプレート７１の隣設する２辺からそれぞれ直角方向に延在した圧入部７２とを有したもので、樹脂によって一体に成形してある。
【００４０】
ベースプレート７１において室外側に臨む見付け面には、固定框６１，６２，６３のビート装着溝６１ｃ，６２ｃ，６３ｃに対応する部位にコーナー装着溝７３が形成してある。コーナー装着溝７３は、直線状に延在する中継溝部７３ａと、中継溝部７３ａの両端からそれぞれ屈曲して延在した２つの連続溝部７３ｂとを有したものである。２つの連続溝部７３ｂは、コーナー部品７０によって固定框６１，６２，６３を接合した場合に、それぞれの固定框６１，６２，６３のビート装着溝６１ｃ，６２ｃ，６３ｃに連続するように設けたもので、互いの延長線が略９０°で交差するように延在している。連続溝部７３ｂと中継溝部７３ａとの屈曲角度は、それぞれ入隅側が１３５°となるように設定してある。
【００４１】
上記のようなコーナー装着溝７３によって固定框６１，６２，６３のビート装着溝６１ｃ，６２ｃ，６３ｃを連続させるようにした固定網戸６０によれば、固定框６１，６２，６３に網６４を張る際の作業を容易化することができる。すなわち、固定網戸６０においては、固定框６１，６２，６３よりも外形寸法の大きな網６４を用意し、網６４の四周をビート６５と共にビート装着溝６１ｃ，６２ｃ，６３ｃ及びコーナー装着溝７３に圧入することによって固定框６１，６２，６３に網６４が張られることになる。ビート装着溝６１ｃ，６２ｃ，６３ｃ及びコーナー装着溝７３よりも外周側にはみ出た余分な網６４は、ビート装着溝６１ｃ，６２ｃ，６３ｃ及びコーナー装着溝７３に沿ってカッター等の切断工具を走行させることによって切除するようにしている。ここで、コーナー部品７０のコーナー装着溝７３が９０°以下の角度で屈曲する場合には、コーナー装着溝７３に沿って切断工具を正確に走行させることができず、網６４を切断することも困難となる。しかしながら、上記のようにコーナー装着溝７３が鈍角（１３５°）で屈曲するように構成した場合には、コーナー装着溝７３に沿って正確に切断工具を走行させることも容易となり、はみ出た網６４を確実に切断することが可能になる。
【００４２】
コーナー部品７０の圧入部７２は、それぞれウェブ７２ａの両端にフランジ７２ｂを有したＨ型を成すもので、固定框６１，６２，６３の中空部に隙間を持って挿入することのできる外形寸法に形成してある。フランジ７２ｂの延在端部には、それぞれ固定框６１，６２，６３の中空部へ挿入する際のガイドとなる面取り部が設けてある。
【００４３】
圧入部７２のフランジ７２ｂには、互いに対となる位置決め用突起７４及び圧着用突起７５が設けてある。位置決め用突起７４及び圧着用突起７５は、それぞれ圧入部７２の延在方向に沿って形成した突出部であり、フランジ７２ｂの互いに表裏となる面に対応して形成してある。位置決め用突起７４は、固定框６１，６２，６３の中空部に挿入した場合に固定框６１，６２，６３の内面に対向する部分が平坦で固定框６１，６２，６３の内面に平行な平面（以下、「位置決め面」という）となるように構成してある。それぞれの位置決め用突起７４は、圧入部７２の延在端部から圧入部７２の過半部分を越えた位置まで連続して設けてある。これに対して圧着用突起７５は、固定框６１，６２，６３の中空部に挿入した場合に固定框６１，６２，６３の内面に対向する部分が半円柱の外周面（以下、「圧着部」という）となるように構成してある。それぞれの圧着用突起７５は、圧入部７２を固定框６１，６２，６３の中空部に挿入した際に位置決め用突起７４よりも後の段階で固定框６１，６２，６３の内面に当接するように、圧入部７２の中間部分に２つずつ設けてある。位置決め用突起７４の位置決め面から対となる圧着用突起７５の圧着部までの距離は、固定框６１，６２，６３の中空部において互いに対向する内面の相互間距離よりもわずかに大きくなるように設定してある。位置決め用突起７４及び圧着用突起７５のそれぞれに対しても延在端部側となる部位には、固定框６１，６２，６３の中空部への挿入ガイドとなる面取り部が設けてある。
【００４４】
上記のように構成したコーナー部品７０を固定框６１，６２，６３の中空部に挿入した場合には、挿入当初から平坦な位置決め面を有した位置決め用突起７４のみが固定框６１，６２，６３の内面に当接することになる。従って、コーナー部品７０の圧入部７２は、位置決め面によって位置決めされた状態で固定框６１，６２，６３の中空部に順次挿入されることになる。
【００４５】
固定框６１，６２，６３の中空部に対する圧入部７２の挿入が進行すると、やがて固定框６１，６２，６３の内面に圧着用突起７５が到達する。上述したように、位置決め用突起７４の位置決め面から対となる圧着用突起７５の圧着部までの距離は、固定框６１，６２，６３の中空部における内面の相互間距離よりもわずかに大きくなるように設定してある。このため、圧着用突起７５が固定框６１，６２，６３の内面に到達した以降については、いずれかの突起７４，７５が変形しながら圧入部７２が固定框６１，６２，６３の中空部に挿入されることになる。
【００４６】
ここで、本実施の形態においては、位置決め用突起７４の位置決め面が平坦に構成してあるのに対し、圧着用突起７５の圧着部が円柱の外周面となるように構成してある。従って、位置決め面に作用する圧力に比べて圧着部に作用する圧力が大となり、専ら圧着部が変形することで圧入部７２の挿入が進行するようになる。すなわち、圧入部７２が固定框６１，６２，６３の内面に到達した以降においても、挿入当初と同様、位置決め用突起７４の位置決め面が継続してガイドとして機能し、圧入部７２が固定框６１，６２，６３の中空部に挿入されることになる。これにより、固定框６１，６２，６３とコーナー部品７０とを正確に位置決めした状態で、換言すれば、四周の固定框６１，６２，６３を正確に位置決めした状態で相互に接合することが可能となる。図８−１及び図８−２に示すように、本実施の形態では、固定上框６１及び固定縦框６３の間に設けるコーナー部品７０と、固定下框６２及び固定縦框６３の間に設けるコーナー部品７０とが個別に用意してある。以下においては便宜上、固定上框６１及び固定縦框６３の間に設けるものを上方コーナー部品７０Ｕと称し、固定下框６２及び固定縦框６３の間に設けるものを下方コーナー部品７０Ｌと称して説明を行う。
【００４７】
上方コーナー部品７０Ｕは、後述する開口枠１０の挿入突片部８０との協働により、室内側開口枠１０Ａに固定網戸６０を装着した場合に、固定網戸６０のガタ付きを防止するためのものである。図９−１〜図１１−２に示すように、上方コーナー部品７０Ｕは、ベースプレート７１の室外側に臨む面に押圧突片部７６及び位置決めガイド部材７７を有している。
【００４８】
押圧突片部７６は、ベースプレート７１において２つの圧入部７２の入隅となる部分に設けた板状部分であり、両側縁及び下縁をそれぞれ連結壁部７８によってベースプレート７１に連結することにより、ベースプレート７１と平行となるように構成してある。この押圧突片部７６には、押圧部７６ａ及び一対の支持部７６ｂが設けてある。押圧部７６ａ及び一対の支持部７６ｂは、押圧突片部７６の上端から下方に向けて一対のスリット７６ｃを平行に形成することによって構成したものである。すなわち、押圧部７６ａは、スリット７６ｃの間に構成された狭幅部分であり、支持部７６ｂは、押圧部７６ａの両側に位置する幅広部分である。図９−３に示すように、支持部７６ｂについては、比較的大きな剛性を有するように連結壁部７８と同等に厚肉に構成してある一方、押圧部７６ａについては、弾性的に変形することが容易となるように薄板状に構成してある。押圧突片部７６においてベースプレート７１に対向する内表面は、押圧部７６ａと支持部７６ｂとで同一の平面上に位置するように構成してある。これに対して押圧突片部７６の外部に露出する外表面については、支持部７６ｂに対して押圧部７６ａが凹状となるように形成してある。
【００４９】
位置決めガイド部材７７は、押圧突片部７６とベースプレート７１との間を連結する連結壁部７８の出隅側面から水平方向に沿って突出した部分であり、突出端部に位置決めガイド面７７ａを有している。位置決めガイド面７７ａは、押圧突片部７６からベースプレート７１に向かうに従って漸次連結壁部７８から離隔するように傾斜した平面である。この位置決めガイド部材７７は、上方コーナー部品７０Ｕを固定上框６１の両端部に設けた場合に突出端面間の距離が縦枠１３の見込み面の相互間距離よりもわずかに小さくなるように構成してある。
【００５０】
図５、図１１−１、図１１−２に示すように、上枠１１の見込み面において固定網戸６０の上方コーナー部品７０Ｕに対応する部位には、挿入突片部８０が設けてある。挿入突片部８０は、上方コーナー部品７０Ｕのベースプレート７１と押圧突片部７６との間に挿入可能となる外形寸法を有したもので、上枠１１の見込み面から下方に向けて突出した状態で取付基板８１を介して上枠１１に取り付けてある。この挿入突片部８０には、押圧突片部７６の押圧部７６ａに対向する部位に当接リブ８２が設けてある。当接リブ８２は、図１２−１〜図１２−４に示すように、挿入突片部８０において押圧突片部７６に対向する支持面８０ａから室外側に向けて突出したもので、挿入突片部８０の上端から下端にわたる全長に設けてある。挿入突片部８０の突出端部及び当接リブ８２の下端部には、それぞれ挿入ガイドとなる面取り部が設けてある。尚、実施の形態の挿入突片部８０には、ベースプレート７１に対向する面にも当接リブ８２が設けてある。このベースプレート７１に対向する面の当接リブ８２は、左右で部品を共用化するために設けたものであり、左右を個別部品として構成する場合には必要でない。
【００５１】
図１３の（ａ）に示すように、挿入突片部８０は、室内側開口枠１０Ａに固定網戸６０を装着した場合に、ベースプレート７１の室外側に臨む見付け面が上枠１１の室内側に臨む見付け面に当接した状態で当接リブ８２が押圧突片部７６の押圧部７６ａに当接するように構成してある。
【００５２】
下方コーナー部品７０Ｌは、縦枠１３に設けた縦枠部品５０との協働により、室内側開口枠１０Ａに装着した固定網戸６０の脱落を防止するためのものである。図７−６、図１０−１〜図１０−５に示すように、下方コーナー部品７０Ｌは、ストッパ部材９０及び操作部材９１を有している。
【００５３】
ストッパ部材９０は、ベースプレート７１の室外側に臨む見付け面に設けた収容部７９に固定下框６２の長手方向に沿って移動可能に配設したものである。収容部７９は、固定網戸６０を室内側開口枠１０Ａに装着した場合に縦枠１３の見込み面に対向する部位にのみ開口したものである。ストッパ部材９０は、収容部７９の内端面との間に突出用スプリング９２を介在させた状態で収容部７９に配設してあり、突出用スプリング９２の付勢力によって常時突出する方向に付勢された状態にある。
【００５４】
操作部材９１は、直方体状を成す操作部９１ａと、操作部９１ａから突出した接続部９１ｂとを有したもので、操作部９１ａをベースプレート７１の室内側に臨む見付け面に配設し、かつベースプレート７１に形成した切欠溝７１ａを介して接続部９１ｂをストッパ部材９０に接続した状態でベースプレート７１に配設してある。接続部９１ｂが通過するベースプレート７１の切欠溝７１ａは、固定下框６２の長手方向に沿って形成したものであり、ストッパ部材９０とともに操作部材９１を固定下框６２の長手方向に移動することが可能である。操作部材９１の接続部９１ｂが通過する切欠溝７１ａの端面は、ベースプレート７１に対してストッパ部材９０及び操作部材９１を移動させた場合に接続部９１ｂに当接することにより、ストッパ部材９０の突出位置を規定する機能を有している。
【００５５】
ストッパ部材９０の先端部には、装着用ガイド面９０ａ、解除用ガイド面９０ｂ及び誤装着検知用隙間９０ｃが設けてある。装着用ガイド面９０ａは、ストッパ部材９０の室外側となる部分に設けた平面であり、ベースプレート７１に向かうに従って漸次外方（図１０−４において左方）に突出するように傾斜している。解除用ガイド面９０ｂは、ストッパ部材９０の室内側となる部分に設けた平面であり、ベースプレート７１に向かうに従って漸次内方（図１０−４において右方）に退行するように傾斜している。誤装着検知用隙間９０ｃは、解除用ガイド面９０ｂにおいて最も内方に位置する部分からベースプレート７１に向けてほぼ直角に延在した平面であり、縦枠１３に設けた突条部１３ａの板厚よりも大きな寸法に形成してある。このストッパ部材９０は、下方コーナー部品７０Ｌを下固定框６２の両端部に設けた場合にそれぞれの装着用ガイド面９０ａが縦枠１３の見付け面に対向するように構成してあるとともに、突出用スプリング９２の付勢力に抗して収容部７９の内部に移動させた場合にはそれぞれの突出端面間の距離が縦枠１３の見込み面の相互間距離よりも小さくなるように構成してある。
【００５６】
図７−３、図１４−１に示すように、縦枠１３の見込み面に取り付けた縦枠部品５０には、係合板部５１において下方コーナー部品７０Ｌのストッパ部材９０に対向する部位に切欠５５及び設置面５６が設けてある。縦枠部品５０の切欠５５は、室内側に位置する部分が開放された矩形状を成すもので、ストッパ部材９０の先端部を収容することのできる大きさに形成してある。この縦枠部品５０の切欠５５は、上縁を構成する端面がストッパ面５５ａを構成している。ストッパ面５５ａは、水平方向に沿って延在した下方に臨む平面であり、図７−４に示すように、固定網戸６０の固定下框６２に設けた係合溝６２ａに取付部材４０の下方係合ヒレ部４３ｃを収容させた場合にストッパ部材９０の上面よりもわずかに上方においてストッパ部材９０の上面に対向するように形成してある。設置面５６は、切欠５５よりも上方に確保した見込み面に平行となる平面であり、固定網戸６０を装着した際にストッパ部材９０の先端部が当接することのできる面積を有している。
【００５７】
上記のように構成した固定網戸６０を室内側開口枠１０Ａに装着するには、まず、室内側開口枠１０Ａに対して固定上框６１が近接するように固定網戸６０を斜めの姿勢とし、この状態から上枠１１の挿入突片部８０をそれぞれ上方コーナー部品７０Ｕのベースプレート７１と押圧突片部７６との間に挿入する。
【００５８】
このとき、上方コーナー部品７０Ｕに位置決めガイド面７７ａを有した位置決めガイド部材７７が設けてあるため、室内側開口枠１０Ａに対して固定網戸６０の位置が左右方向に沿ってずれていた場合にも、位置決めガイド面７７ａが縦枠１３に当接することよって固定網戸６０の位置ずれが修正されることになる。従って、固定網戸６０の上端部を室内側開口枠１０Ａに対してラフに装着した場合にも、上枠１１の挿入突片部８０を確実に上方コーナー部品７０Ｕのベースプレート７１と押圧突片部７６との間に案内することができるようになる。しかも、図１３の（ｂ）に示すように、押圧部７６ａが挿入突片部８０の当接リブ８２に当接した場合には、ベースプレート７１とのクリアランスを拡大するようにする押圧部７６ａが弾性的に変形するため、挿入突片部８０を挿入する際の作業を容易に行うことが可能となる。
【００５９】
上枠１１の挿入突片部８０が上方コーナー部品７０Ｕのベースプレート７１と押圧突片部７６との間に挿入された後においては、固定上框６１の高さ位置を維持した状態で固定下框６２を室内側開口枠１０Ａに近接するように移動させ、固定網戸６０を垂直の姿勢とする。その間、下方コーナー部品７０Ｌに設けたストッパ部材９０は、図１４−１に示すように、装着ガイド面９０ａがそれぞれ縦枠１３の見付け面に当接し、突出用スプリング９２の付勢力に抗して退行するため、縦枠１３の突条部１３ａを乗り越えて縦枠部品５０の切欠５５よりも上方の設置面５６に当接した状態となる。
【００６０】
最後に、室内側開口枠１０Ａに対して固定網戸６０を下方に移動させ、固定下框６２の係合溝６２ａに取付部材４０の下方係合ヒレ部４３ｃを収容させれば、室内側開口枠１０Ａに固定網戸６０を装着することができる。この状態においては、図１４−２に示すように、ストッパ部材９０が縦枠部品５０の切欠５５に対向した時点で突出用スプリング９２の付勢力により、ストッパ部材９０の先端部が切欠溝７１ａの内部に突出し、その上面がストッパ面５５ａに対向した位置となる。従って、室内側開口枠１０Ａに対して固定網戸６０を上方へ移動させるような外力が加えられた場合にも、ストッパ部材９０の上面がストッパ面５５ａに当接するため、固定網戸６０が室内側開口枠１０Ａに対して上方へ移動することはない。これにより、固定網戸６０が不用意に室内側開口枠１０Ａから脱落する事態を防止することができるようになる。
【００６１】
さらに、上記のようにして室内側開口枠１０Ａに装着された固定網戸６０は、常に押圧部７６ａが挿入突片部８０の当接リブ８２を介して相対的に上枠１１の室内側に臨む見付け面をベースプレート７１の室外側に臨む見付け面に当接させるように機能する。従って、室内側開口枠１０Ａに装着した固定網戸６０がガタ付く事態を招来するおそれもない。また、固定網戸６０に大きな外力が加えられて固定上框６１の見付け面からベースプレート７１の見付け面が離隔した場合には、挿入突片部８０の支持面８０ａと押圧突片部７６の支持部７６ｂとが互いに当接することになる。従って、押圧部７６ａが弾性限界を超えて変形することはなく、押圧部７６ａの損傷に起因して固定網戸６０がガタ付いたり、脱落する事態を招来するおそれもない。固定網戸６０に加えられていた外力が除去された場合には、押圧部７６ａの弾性復元力によって再び上枠１１の室内側に臨む見付け面がベースプレート７１の室外側に臨む見付け面に当接された状態に復帰するため、固定網戸６０がガタ付く事態が防止されることになる。
【００６２】
尚、上枠１１の挿入突片部８０が上方コーナー部品７０Ｕのベースプレート７１と押圧突片部７６との間に挿入されずに、ストッパ部材９０が縦枠部品５０の切欠５５に配置された場合（誤装着）には、拘束されていない固定網戸６０の上端部が室内側に向けて移動するため、室内側開口枠１０Ａに対して固定網戸６０が傾斜することになる。特に、本実施の形態においては、ストッパ部材９０の先端部に突条部１３ａの板厚より大きな寸法の誤装着検知用隙間９０ｃが設けてあるため、固定網戸６０の下端部が隙間分だけ室内側に移動することになる。このため、固定網戸６０の上端部が室内側に向けてより大きく傾斜することになり、固定網戸６０が正確に装着されていないことを確実に認識することができるようになる。
【００６３】
ところで、上述した建具においては、図７−２及び図１５−２に示すように、縦枠１３の室内側に臨む見付け面に対して取付部材４０の室内側に臨む見付け面が下枠１２の突条部１２ａの分だけ室外側に位置している。このため、室内側開口枠１０Ａに固定網戸６０が装着された場合にも、下方コーナー部品７０Ｌのベースプレート７１は、縦枠１３の室内側に臨む見付け面に当接するのみであり、取付部材４０の室内側に臨む見付け面との間に隙間が構成されることになる。
【００６４】
下方コーナー部品７０Ｌから上方に延在する固定縦框６３において框基部６３ａが配置された部分については、框基部６３ａが上方に連続するため、上述の隙間が問題となることはない。しかしながら、固定縦框６３においてカバーヒレ部６３ｂが配置される部分については、室外側に取付部材４０が位置するのみであるため、上述の隙間が室内側から室外側に向けて斜め上方に貫通する場合があり、外部の光が斜めに進行して室内に到達するおそれがある。
【００６５】
このため、本実施の形態の建具においては、図１５−１に示すように、取付部材４０の両端部を覆う縦枠部品５０の支持カバー部５３を取付部材４０の上面を越えて突出するように設けてある。従って、この支持カバー部５３の突出高さを適宜調整することにより、外部の光が室内に進入する事態を確実に防止することができるようになる。
【００６６】
室内側開口枠１０Ａから固定網戸６０を取り外す場合には、操作部材９１を操作することにより、図１４−３に示すように、突出用スプリング９２の付勢力に抗してストッパ部材９０を収容部７９の内部に移動させ、この状態から室内側開口枠１０Ａに対して固定網戸６０を上方に移動させれば、固定下框６２の係合溝６２ａから取付部材４０の下方係合ヒレ部４３ｃが逸脱し、かつストッパ部材９０の先端部が縦枠部品５０の係合板部５１に当接した状態となる。従って、この状態においては、操作部材９１から手を放した状態においても、室内側開口枠１０Ａに対して固定下框６２を室内側に移動させることが可能となり、さらに固定網戸６０を下方に移動させることによって上枠１１の挿入突片部８０を上方コーナー部品７０Ｕのベースプレート７１と押圧突片部７６との間から逸脱させれば、室内側開口枠１０Ａから固定網戸６０を取り外すことができる。
【００６７】
尚、上述した実施の形態では、ガラス窓２０を備えた開口枠１０の室内側に取付部材４０を下縁とする室内側開口枠１０Ａを構成し、この室内側開口枠１０Ａに固定網戸６０を装着した建具を例示しているが、本発明はこれらに限定されず、固定網戸は必ずしも設けてある必要はなく、ガラス窓が縦すべり出し窓である必要もない。また、室内側開口枠に固定障子を設ける場合に上述した実施の形態では網戸を例示しているが、その他の障子であっても構わない。
【符号の説明】
【００６８】
１０  開口枠、１０Ａ  室内側開口枠、１１  上枠、１２  下枠、１３  縦枠、２０  ガラス窓、３０  オペレータハンドル、３１  開閉機構、４０  取付部材、４１ａ  基準ベース部、５０  縦枠部品、５１  係合板部、５２  挟持片部、５３  支持カバー部、５５  切欠、５５ａ  ストッパ面、６０  固定網戸、６３ｂ  カバーヒレ部
【図１】
0006420696.tif 000002
【図２】
0006420696.tif 000003
【図３】
0006420696.tif 000004
【図４】
0006420696.tif 000005
【図５】
0006420696.tif 000006
【図６】
0006420696.tif 000007
【図７−１】
0006420696.tif 000008
【図７−２】
0006420696.tif 000009
【図７−３】
0006420696.tif 000010
【図７−４】
0006420696.tif 000011
【図７−５】
0006420696.tif 000012
【図７−６】
0006420696.tif 000013
【図８−１】
0006420696.tif 000014
【図８−２】
0006420696.tif 000015
【図９−１】
0006420696.tif 000016
【図９−２】
0006420696.tif 000017
【図９−３】
0006420696.tif 000018
【図９−４】
0006420696.tif 000019
【図９−５】
0006420696.tif 000020
【図１０−１】
0006420696.tif 000021
【図１０−２】
0006420696.tif 000022
【図１０−３】
0006420696.tif 000023
【図１０−４】
0006420696.tif 000024
【図１０−５】
0006420696.tif 000025
【図１１−１】
0006420696.tif 000026
【図１１−２】
0006420696.tif 000027
【図１２−１】
0006420696.tif 000028
【図１２−２】
0006420696.tif 000029
【図１２−３】
0006420696.tif 000030
【図１２−４】
0006420696.tif 000031
【図１３】
0006420696.tif 000032
【図１４−１】
0006420696.tif 000033
【図１４−２】
0006420696.tif 000034
【図１４−３】
0006420696.tif 000035
【図１５−１】
0006420696.tif 000036
【図１５−２】
0006420696.tif 000037